(57)【要約】【課題】  箱形ケースに差し込まれたクレジットカードや名刺などの一部分が消えたような視覚的錯覚を観覧者に与えることのできる手品具を提供する。【解決手段】  略矩形形状の基板1と、前記基板1の周縁４辺を囲む前後左右の側板と、前記基板1の上面に重ねられて当該基板1の一部分を覆う、基板1と同じ模様柄がつくり出される奥行きを感じさせる効果を有する可動特殊板と、前記可動特殊板の上面を覆う不透明な蓋板4とが備えられ、前記蓋板4は単独で又は可動特殊板と共に摺動可能とされていることを特徴とする手品具10とする。【選択図】図１
2008073352.tif 000002
【特許請求の範囲】
【請求項１】
略矩形形状の基板と、
前記基板の周縁４辺を囲む前後左右の側板と、
前記基板の上面に重ねられて当該基板の一部分を覆う、基板と同じ模様柄がつくり出される奥行きを感じさせる効果を有する可動特殊板と、
前記可動特殊板の上面を覆う不透明な蓋板と、
が備えられ、前記蓋板は単独で又は可動特殊板と共に摺動可能とされている
ことを特徴とする手品具。
【請求項２】
前記基板は奥行きを感じさせる効果を有する特殊板であることを特徴とする請求項１に記載の手品具。
【発明の詳細な説明】
【技術分野】
【０００１】
本発明は、クレジットカードや名刺などを使用する手品具であって、箱形ケースに差し込まれたクレジットカードや名刺などの一部分が消えたような錯覚を観覧者に与えることのできる手品具に関するものである。
【背景技術】
【０００２】
従来より、対象物を箱の中に収納して蓋を閉じた後に再度この蓋を開けると、箱の中にあるはずの当該対象物が消失し、また蓋を閉じてから再度蓋を開けると、先程消失していた対象物が再び箱の中に出現する、という手品を行うための手品具が存在している。このような対象物を消失・出現させる手品は、人間の錯覚や思い込みを利用し、あたかも現実不可能なことが起きているかのような不思議な感覚を観覧者に与えるものである。
【０００３】
例えば、対象物として紙幣やカード類を使う箱形の手品具であって、内部に差し込まれた紙幣やカード類を観覧者の目の前で少しずつ消失させたり、消失した部分を少しずつ出現させたりして、視覚的錯覚を観覧者に与える手品具が提案されている（例えば、特許文献１参照）。
【特許文献１】特開平１０−３３７３８２号公報
【発明の開示】
【発明が解決しようとする課題】
【０００４】
手品は、初めて見る者に対しては新鮮な驚きを与えることができるが、複数回繰り返されることにより、徐々に興味が薄くなる。そのため、常に新しい演出の手品が要求され、簡単な仕掛けにより熟練を要することなく、何人でも他人を容易に楽しませることのできる手品具が求められている。
【０００５】
本発明は、このような要求に応え、構造が簡単であり、且つ操作も容易に行える、新たな演出を可能とした手品具を提供することを目的としている。
【課題を解決するための手段】
【０００６】
本発明は、略矩形形状の基板と、前記基板の周縁４辺を囲む前後左右の側板と、前記基板の上面に重ねられて当該基板の一部分を覆う、基板と同じ模様柄がつくり出される奥行きを感じさせる効果を有する可動特殊板と、前記可動特殊板の上面を覆う不透明な蓋板とが備えられ、前記蓋板は単独で又は可動特殊板と共に摺動可能とされていることを特徴とする手品具に関する。
【０００７】
本発明において、前記基板は前記可動特殊板と同じ模様と効果を有する特殊板であることが好ましい。
【０００８】
また、前記基板を透明な樹脂板とし、当該基板の下方に可動特殊板と同じ模様柄の描かれたシートを配置しても良い。
【発明の効果】
【０００９】
本発明の手品具によれば、ケースの中に差し込まれたクレジットカードや名刺などの一部分が消えるという不思議さを観覧者に与えることができる。また、操作も容易に行えるため、熟練者でなくとも簡単に手品を行うことができる。
【発明を実施するための最良の形態】
【００１０】
本発明に係る手品具は、奥行きを感じさせる効果を有する略矩形形状の基板と、該基板の周縁４辺を囲む前後左右の側板、該側板の下端に設けられる基板と略同大の底板、及び４辺を囲った側板の上端に設けられて各側板から内側に突出して中央に開口窓部を形成する枠板とから構成され、一辺の側板に挿入口を有するとともに挿入口を設けた側板に隣接する一辺の側板の一部に切り欠き部が形成されたケースと、基板の上面に重ねられて基板の一部分を覆い、該基板と同じ模様柄がつくり出された奥行きを感じさせる効果を有する可動特殊板と、枠板の上面に配置され、該可動特殊板を覆う不透明な蓋板と、ケースの底板と基板との間に配置されて前記蓋板とその端部において係合し、ケースの切り欠き部からケースの内外に摺動する補助板とから構成される。そして、前記可動特殊板及び蓋板は、基板の約半分を覆うことを可能とし、可動特殊板の端部辺の両端部位置には側板から中央に突出してクレジットカードや名刺などの紙片を支持する中央突起部を有するものである。
【実施例】
【００１１】
以下、本発明の手品具の一実施形態について図面を参照して詳細に説明するが、本発明は、本実施形態に何ら限定されるものではない。
図１は本発明に係る手品具の外観を示す図であり、図２は本発明に係る手品具の分解斜視図であり、図３は本発明に係る手品具の断面図である。図４は手品を行う際に使用する道具一式を示す図である。そして、図５乃至図８は本発明に係る手品具の使用例を示す図である。
【００１２】
本実施形態の手品具10は、図２に示したように、基板1と、ケース2と、可動特殊板3と、蓋板4と、補助板5から構成され、これらを組み立てて図１に示したような手品具10とする。
【００１３】
基板1は、略矩形形状の透明な薄板で、上面には裏面の模様を立体的に深く見せる特殊加工が施されており、三次元模様を作り出している。該基板1は表面から見た場合、奥行きがあり、模様が表面よりも沈んだ感じに見え、立体感があるように見える。その立体的な模様の深さは、ケース2の厚みと略一致し、模様がケース2の底面に描かれているように見える。基板1の裏面に描かれる模様は、後述する可動移動板3の裏面の模様と同じ柄にて構成される。尚、本実施形態では、斑点状の三次元模様を作り出しているが、この三次元模様の形態は任意に選択可能である。
【００１４】
また、可動特殊板3は、図２に示したように、基板1の一辺と略等しい長さの基準辺32と、該基準辺32の両端部から各々基準辺32に対して垂直に延びる第１側辺33及び第２側辺34と、該第１側辺33及び第２側辺34の先端部を結ぶ端部辺35で囲われた略四角形状の薄板として構成され、第１側辺33には、略中央に把持板31が延設されている。端部辺35は、波型など規則性のない曲線で構成されている。そして、第１側辺33は後述するケース2の右側板24に設けられた切り欠き部62に挿入可能な幅とされ、第２側辺34は第１側辺33の長さよりも短い長さとしている。また、可動特殊板3は、前記基板1のほぼ半分の大きさとして構成されている。
【００１５】
そして、可動特殊板3の上面には裏面の模様を立体的に深く見せる特殊加工が施されて三次元模様を作り出し、可動特殊板3を表面から見た場合、奥行きがあり、模様が表面よりも沈んだ感じに見え、立体感があるように見える。その立体的な模様の深さは、ケース2の厚みと略一致し、模様がケース2の底面に描かれているように見える。本実施形態において、可動特殊板3の模様柄は、図２に示したように、連続性のある斑点状の模様柄として構成されており、可動特殊板3は前記基板1と同じ特殊板で作成されている。
【００１６】
ケース2は、前記基板1に覆設可能な構造であり、前記基板1の周縁４辺を囲む前側板21、後側板22、左側板23及び右側板24と、これら側板の下端に設けられる基板1と略同大の底板25、及び側板の上端に設けられる枠板26,27とから構成されている。
【００１７】
図２に示したように、前側板21には、クレジットカードや名刺などの紙片7を挿入するための挿入口61が設けられ、右側板24の中程から後方には、上方が開口した切り欠き部62が形成されている。そして、後側板22の上端からは後述する蓋板4の厚み分だけ上方に向けて更に側板が延設され、その上端から前方に向けて後述する蓋板4の基準辺42を覆う帯状の枠板27が設けられている。
【００１８】
また、ケース2の他の３辺である前側板21、左側板23及び右側板24の上端にもこれら側板から内側に突出する枠板26が設けられ、後側板22に設けた枠板27と合わせてケース2の中央に大きく開口する開口窓部63を形成している。また、右側板24側においては、枠部26は切り欠き部62の上方まで延設されている。また、後側辺22の内側側面には、図示しないが、その幅方向に線条突出部が設けられており、可動特殊板3を挿入支持するようになっている。
【００１９】
そして、左側板23と右側板24には、内側に向けて中央突起部28が各々１個ずつ突設されている。これら中央突起部28は、基板1の後端辺に基準辺32を合わせて可動特殊板3を重ねたときに、可動特殊板3の端部辺35の両端を覆う位置に各々形成されている。また、中央突起部28はその先端部同士の幅が、ケース2内に挿入される紙片7の幅よりも僅かに短くなる位置に形成され、可動特殊板3の端部辺35の両端を固定支持するとともに、当該位置に位置する紙片7の側辺を覆うものである。
【００２０】
蓋板4は、前記可動特殊板3を覆う不透明な板である。該蓋板4は、図２に示したように、前記ケース2の幅と略等しい長さの基準辺42と、該基準辺42の両端部から各々基準辺42に対して垂直に延びてケース2の左右の側縁に沿う、可動特殊板3の第１側辺33よりも僅かに長い第１側辺43及び可動特殊板3の第２側辺34よりも僅かに長い第２側辺44と、該第１側辺43及び第２側辺44の先端部を結ぶ端部辺45で囲われた四角形状の薄板として構成され、第１側辺43には、帯状の舌板41が延設されている。該舌板41の下面には、可動特殊板3の把持板31に略等しい間隙を有して２個の係止部46が並設されており、各々係止部46には図示しないが下方に開口した凹部が形成され、後述する補助板5の係止突起53と嵌め合うようになっている。そして、蓋板4の下面の第２側辺44近傍には、図示しない線条凸部が前後方向に形成されている。
【００２１】
また、該蓋板4の上面には、端部辺45に沿って側面視略台形状の直線状のガイド部47が設けられている。該ガイド部47の上面には長手方向に凹状溝部48が形成されている。
【００２２】
この蓋板4は、可動特殊板3の上方であって、前記ケース2の枠板26の上面に配置され、蓋板4の基準辺42がケース2の後側板22に当接されて該後側板22に設けた枠板27の下面に蓋板4の後辺近傍の上面が当接支持された状態で、左右方向に摺動する。
【００２３】
補助板5は、基板1と略等しい幅の前辺と後辺、及びケース2の切り欠き部62よりも短い長さの左辺と右辺で囲われた略矩形状の薄板として構成されている。補助板5の左辺には２個の切り欠き51が設けられ、補助板5の下面の切り欠き51の端部と端部の間には、前後方向に線条凸部52が形成されている。そして右辺の両端部からはそれぞれ突出板が延設され、該突出板の上面には、前記した蓋板4の舌板41に設けられた係止部46に係止する係止突起53がそれぞれ設けられている。
【００２４】
以上詳述した各部材は、補助板5は基板1の下方後方に配置され、該補助板5がケース2の切り欠き部62に嵌め合うようにして該ケース2が基板1に覆設されている。この時、基板1の上面がケース2の挿入口61の直下に位置するようにケース2が基板1に覆設されている。次に、可動特殊板3はケース2の切り欠き部62から挿入され、該基板1の上面に位置される。この時、後側板22の内側側面に設けられた線条突出部に可動特殊板3の基準辺32が載置され、該線条突出部は基板1の上面より紙片7の厚み程度上方位置に形成されているため、可動特殊板3と基板1との間には、紙片7の厚さ程の空隙が形成される。そして、蓋板4をケース2の枠板26の上面後方に、該蓋板4の基準辺42部分がケース2の枠板27の下面空間に挿入され、舌板41の下面に設けられた係止部46の凹部と補助板5の突出板に設けられた係止突起53を互いに嵌め合わせて固定される。このとき、可動特殊板3の把持板31は蓋板4の舌板41下方の係止部46の間に位置しており、上面からは舌板41により視認不可となっている。
【００２５】
即ち、図３に示したように、ケース2内では下から、補助板5、基板1、可動特殊板3の順に配置され、ケース2の上面で蓋板4がケース2の開口窓部63をほぼ半分覆う状態で組み立てられる。ケース2内に挿入された補助板5と該補助板5に係止した蓋板4はケース2の幅方向に摺動可能とされるが、蓋板4の下面に設けられた線条凸部が枠板26の上面に係止されて、補助板5の下面に設けられた線条凸部52がケース2の側板に係止されるため、ケース2外に脱落することはない。また、図３に示したように、クレジットカードや名刺などの紙片7は、基板1と可動特殊板3の間に挿入され、可動特殊板3や蓋板4が基板1及び該基板1の上面に挿入載置される紙片7の後側板22側の約半分を覆うことができるものである。
【００２６】
尚、本発明の手品具10は本実施形態に限定されず、種々の態様とすることができる。
例えば、ケース2の右側板24の後方に形成した切り欠き部62を前方に形成し、蓋板4も前方上面に配置することにより、可動特殊板3及び蓋板4がケース2の前方部分を覆うようにしても良い。その場合は、枠板27を前側板21側に設ける。また、前記切り欠き部62は、左側板23や後側板22に設けることもできる。また、可動特殊板3は、第１側辺33と第２側辺34をほぼ同じ長さとする長方形形状としても良い。
【００２７】
また、基板1を透明の樹脂ガラス板とし、底板25の上面など基板1の下方に模様柄の描かれたシートを配置し、可動特殊板3をそのシートの模様と同じ模様柄を作り出す奥行きを感じさせる効果を有する特殊板で作成しても良い。
【００２８】
また、蓋板4を所望厚さの厚みを有する厚板として構成し、端部辺に沿って凹状溝部48を形成しても良い。そして、基板1及びケース2の幅を紙片7の幅とほぼ等しい幅にて形成し、中央突起部28を形成せずに側板のみで紙片7を支えることもある。
【００２９】
次に、上述の構成の手品具10を用いた手品の操作手順の一例を説明する。図４に示したように、手品には手品具10の他に、カッター6、そしてクレジットカードや名刺などの紙片7を使用する。
【００３０】
まず、手品を始める前に、蓋板4をケース2の上面に挿入し、該蓋板4がケース2の開口窓部63のほぼ半分を覆った状態で準備しておく。次に、図５（ａ）に示したように、ケース2を片手で持ち、もう片方の手で蓋板4の舌板41の中央部分を持ち、外側へスライドさせる。このとき、操作者は蓋板4の下方に位置する可動特殊板3の把持板31を舌板41と一緒に持って引く。すると、蓋板4と共に可動特殊板3も外側へスライド移動し、観覧者にはケース2の開口窓部63内の基板1が目視可能となる。
【００３１】
次に、図５（ｂ）に示したように、予め準備してあった又は観覧者から借りたクレジットカードや名刺などの紙片7をケース2の挿入口61から挿入し、図５（ｃ）に示したように、蓋板4をケース2に挿入する。このとき可動特殊板3は、図３に示したように、紙片7の上面に挿入配置される。
【００３２】
このとき、紙片7は中央突起部28に支持されるため、図５（ｃ）に示したように、紙片7の左右に基板1の模様が見え、紙片7を奥まで差し込むことで紙片7の前側板21側も基板1の模様が見えるものであり、紙片7の周囲に基板1の模様の一部が見える。基板1は、上面から見たときに立体感のある三次元模様がつくり出されているため、紙片7の下方に空間を設けて紙片7が中央突起部28に支持されているように見える。
【００３３】
次に、図６に示したように、カッター6を蓋板4のガイド部47に設けられた凹状溝部48に当て、溝に沿って動かし、ケース2に挿入された紙片7を切るような動作をする。
【００３４】
その後、図７に示したように、蓋板4の舌板41の角部分を持って蓋板4を外側へスライドさせる。このとき、蓋板4の舌板41の角部分を持つことにより、可動特殊板3をケース2内に残した状態で蓋板4と補助板5のみをスライドすることとなる。可動特殊板3は基板1と同じ三次元の模様柄の板であるため、観覧者からは、視覚的錯覚により、蓋板4に覆われていた部分の紙片7が消失したように見え、観覧者に驚きを与えることとなる。
【００３５】
このとき、中央突起部28により、紙片7の周辺のうち基板1と可動特殊板3との接界となる可動特殊板3の端部辺35は、紙片7の上面部分のみが中央突起部28の間で見えるため、可動特殊板3の模様と基板1の模様のずれを気づかせないようにすることができる。
【００３６】
そして、再び蓋板4をケース2に挿入し、例えば、まじないをかける動作をした後で、図８（ａ）に示したように、蓋板4の舌板41の中央部分を持って可動特殊板3の把持板31と共に蓋板4を外側へスライドさせる。すると、先程までは消失していた紙片7が再び現れることとなる。ケース2に挿入した紙片7の全体が開窓部63から視認できるように観覧者に元の状態の紙片7を見せ、図８（ｂ）に示したように、その紙片7をケース2から取り出し、手品を終了する。
【００３７】
本発明の手品具10を使用して手品を行う場合、操作者は操作とともに話術を組み合わせることにより、観覧者の興味を引きつけ、クレジットカードや名刺などの一部分が消失する現象が生じたように錯覚させ、より驚きのある興味深い手品として実演することができる。
【図面の簡単な説明】
【００３８】
【図１】本発明に係る手品具の外観を示す図である。
【図２】本発明に係る手品具の分解斜視図である。
【図３】本発明に係る手品具の断面図である。
【図４】手品を行う際に使用する道具一式を示す図である。
【図５】本発明に係る手品具の使用例を示す図である。
【図６】本発明に係る手品具の使用例を示す図である。
【図７】本発明に係る手品具の使用例を示す図である。
【図８】本発明に係る手品具の使用例を示す図である。
【符号の説明】
【００３９】
１      基板
２      ケース
３      可動特殊板
４      蓋板
５      補助板
６      カッター
７      紙片
１０    手品具
２１    前側板                ２２    後側板
２３    左側板                ２４    右側板
２５    底板                  ２６    枠板
２７    枠板                  ２８    中央突起部
３１    把持板                ３２    基準辺
３３    第１側辺              ３４    第２側辺
３５    端部辺
４１    舌板                  ４２    基準辺
４３    第１側辺              ４４    第２側辺
４５    端部辺                ４６    係止部
４７    ガイド部              ４８    凹状溝部
５１    切り欠き              ５２    線条凸部
５３    係止突起
６１    挿入口                ６２    切り欠き部
６３    開口窓部
【図１】
2008073352.tif 000003
【図２】
2008073352.tif 000004
【図３】
2008073352.tif 000005
【図４】
2008073352.tif 000006
【図５】
2008073352.tif 000007
【図６】
2008073352.tif 000008
【図７】
2008073352.tif 000009
【図８】
2008073352.tif 000010